(57)【要約】      （修正有）【課題】テントフレームへのテント用幕体の張設を簡単且つ容易に行えるテントフレームとテント用幕材の連結構造を提供する。【解決手段】長尺状の横架材３及び横架材３を支持する柱材を備えたテントフレームと、テントフレームを覆うシート状のテント用幕材の連結構造であって、横架材３の少なくとも外側側面に形成した横架材３の長手方向に沿うＴ溝３ｂと、テント用幕材の横架材３の外側側面に対向する箇所に設けられ、Ｔ溝３ｂに当該Ｔ溝３ｂのスリット３ｆを形成した方向から抜き差し自在に嵌め込みされてＴ溝３ｂに係合されると共に、Ｔ溝３ｂのスリット３ｆの幅よりも大径に形成された弾性変形可能な筒状抜け止め部１３と、を備えている。【選択図】図８
0003225599.tif 000002
【実用新案登録請求の範囲】
【請求項１】
長尺状の横架材及び前記横架材を支持する柱材を備えたテントフレームと、前記テントフレームを覆うシート状のテント用幕材の連結構造であって、
前記横架材の少なくとも外側側面に形成した横架材の長手方向に沿うＴ溝と、
前記テント用幕材の前記横架材の外側側面に対向する箇所に設けられ、前記Ｔ溝に当該Ｔ溝のスリットを形成した方向から抜き差し自在に嵌め込みされて前記Ｔ溝に係合されると共に、前記Ｔ溝のスリットの幅よりも大径に形成された弾性変形可能な筒状抜け止め部と、
を備えていることを特徴とするテントフレームとテント用幕材の連結構造。
【請求項２】
前記筒状抜け止め部は、前記テント用幕材の前記横架材の外側側面に対向する箇所に前記横架材の長手方向に間隔を空けて複数設けられていることを特徴とする請求項１に記載のテントフレームとテント用幕材の連結構造。
【請求項３】
前記筒状抜け止め部は、柱材の幅と同程度の長さを有していることを特徴とする請求項２に記載のテントフレームとテント用幕材の連結構造。
【請求項４】
前記筒状抜け止め部は、基端部が前記テント用幕材の内側面に取り付けられた可撓性を有するシート部材の先端部に設けられ、前記Ｔ溝のスリットの幅よりも大径に形成された筒部と、前記シート部材の筒部に挿入され、前記Ｔ溝のスリットの幅よりも大径に形成された弾性変形可能な合成樹脂製又はゴム製のチューブ材とを備えていることを特徴とする請求項１〜３の何れかに記載のテントフレームとテント用幕材の連結構造。
【請求項５】
前記テント用幕材をテントフレームの上端部全体を覆う天幕とし、前記天幕の外周縁部内側面に前記筒状抜け止め部を設けたことを特徴とする請求項１〜４の何れかに記載のテントフレームとテント用幕材の連結構造。
【請求項６】
長尺状の横架材及び前記横架材を支持する柱材を備えたテントフレームと、
前記テントフレームを覆うシート状のテント用幕材と、
前記テントフレームと前記テント用幕材を連結する請求項１〜５の何れか１項に記載のテントフレームとテント用幕材の連結構造とを備えていることを特徴とするテント。
【考案の詳細な説明】
【技術分野】
【０００１】
本考案は、例えば屋内や屋外での集会、催し物、行事等で仮設等に用いられる組立、分解が容易な簡易組立式のテントフレームと当該テントフレームを覆うテント用幕材の連結構造及びそれを用いたテントに関する。
【背景技術】
【０００２】
一般に、集会や催し物、行事等に用いられる仮設用のテントを構築する場合、複数本の長尺状の横架材及び柱材を継手４によって連結してテントフレームを形成し、このテントフレームに布シートやビニールシート等のテント用幕材を張設するようにしていた。
【０００３】
従来、仮設用のテントにおいては、図示していないが、テント用幕材の端部に設けた鳩目金具に紐やロープを通し、当該紐やロープをテントフレームの横架材等に巻き付け固定することによって、テント用幕材をテントフレームに張設するようにしていた。
【０００４】
ところで、テント用幕材を紐やロープでテントフレームに張設するテントにおいては、構築の際に複数本の紐やロープをテントフレームの横架材等に巻き付け固定しなければならず、非常に煩雑な作業を必要とし、また、テント用幕材を取り外す際にも煩雑な作業を必要とするという問題があった。
【０００５】
一方、テントフレームとテント用幕材の連結を紐やロープを使用せずに行えるテントとしては、例えば特許文献１〜４に記載された構造のものが知られている。
【０００６】
即ち、特許文献１及び２に記載されたテントは、図１０（Ａ）に示す如く、テントフレームを形成する枠材２０等に挿通溝２１を形成し、当該挿通溝２１にテント用幕材２２の端部に設けた膨出部２３を挿入することによって、テント用幕材２２をテントフレームに張設するようにしている。
【０００７】
また、特許文献３及び４に記載されたテントは、図１０（Ｂ）に示す如く、テントフレームを形成する角パイプ部材２４にレール取付具２５（ボルト２５ａ及びナット２５ｂから成る）によりシート張設用レール２６を取り付け、当該シート張設用レール２６に形成したガイド溝２７に長尺状シート２８（テント用幕材）の耳部に設けた抜け止め部２９を挿入することによって、長尺状シート２８（テント用幕材）をテントフレームに張設するようにしている。
【先行技術文献】
【特許文献】
【０００８】
【特許文献１】特開平０６−１８５２４７号公報
【特許文献２】特開平０６−２８０４２２号公報
【特許文献３】特開２０１８−１５５０４７号公報
【特許文献４】特開２０１９−０３９２５０号公報
【考案の概要】
【考案が解決しようとする課題】
【０００９】
しかしながら、特許文献１〜４に記載されたテントにおいては、テント用幕材２２の膨出部２３や長尺状シート２８の抜け止め部２９が何れも長尺状に形成され、且つ膨出部２３や抜け止め部２９が中実状のロープを備えているため、テント用幕材２２の膨出部２３や長尺状シート２８の抜け止め部２９を枠材２０の端部やシート張設用レール２６の端部から挿通溝２１やガイド溝２７に順次挿入して行かなければならず、膨出部２３と挿通溝２１との摩擦抵抗や抜け止め部２９とガイド溝２７との摩擦抵抗がかなり大きくなって挿入溝２１やガイド溝２７に膨出部２３や抜け止め部２９を挿入し難くなり、テントフレームにテント用幕材２２や長尺状シート２８を張設するのに時間がかかるという問題がある。
特に、上記問題は、枠材２０、シート張設用レール２６、テント用幕材２２の膨出部２３、長尺状シート２８の抜け止め部２９の長さが長くなればなる程、一層顕著になる。
【００１０】
本考案は、上記課題を解決するために為されたものであり、テントフレームへのテント用幕体の張設を簡単且つ容易に行えるようにしたテントフレームとテント用幕材の連結構造及びそれを用いたテントを提供することをその主たる目的とする。
【課題を解決するための手段】
【００１１】
上記目的を達成するため、本考案に係るテントフレームとテント用幕材の連結構造は、長尺状の横架材及び前記横架材を支持する柱材を備えたテントフレームと、前記テントフレームを覆うシート状のテント用幕材の連結構造であって、前記横架材の少なくとも外側側面に形成した横架材の長手方向に沿うＴ溝と、前記テント用幕材の前記横架材の外側側面に対向する箇所に設けられ、前記Ｔ溝に当該Ｔ溝のスリットを形成した方向から抜き差し自在に嵌め込みされて前記Ｔ溝に係合されると共に、前記Ｔ溝のスリットの幅よりも大径に形成された弾性変形可能な筒状抜け止め部と、を備えていることを特徴とする。
【００１２】
前記筒状抜け止め部は、前記テント用幕材の前記横架材の外側側面に対向する箇所に前記横架材の長手方向に間隔を空けて複数設けられていることが好ましい。
【００１３】
前記筒状抜け止め部は、柱材の幅と同程度の長さを有していることが好ましい。
【００１４】
前記筒状抜け止め部は、基端部が前記テント用幕材の内側面に取り付けられた可撓性を有するシート部材の先端部に設けられ、前記Ｔ溝のスリットの幅よりも大径に形成された筒部と、前記シート部材の筒部に挿入され、前記Ｔ溝のスリットの幅よりも大径に形成された弾性変形可能な合成樹脂製又はゴム製のチューブ材とを備えていることが好ましい。
【００１５】
前記テント用幕材をテントフレームの上端部全体を覆う天幕とし、前記天幕の外周縁部内側面に前記筒状抜け止め部を設けることが好ましい。
【００１６】
本考案に係るテントは、長尺状の横架材及び前記横架材を支持する柱材を備えたテントフレームと、前記テントフレームを覆うシート状のテント用幕材と、前記テントフレームと前記テント用幕材を連結する請求項１〜５の何れか１項に記載のテントフレームとテント用幕材の連結構造とを備えていることを特徴とする。
【考案の効果】
【００１７】
本考案によれば、テントフレームを形成する横架材の外側側面に横架材の長手方向に沿うＴ溝を形成すると共に、テント用幕材にＴ溝のスリットの幅よりも大径に形成された弾性変形可能な筒状抜け止め部を設け、当該筒状抜け止め部をＴ溝のスリットを形成した方向からＴ溝内に抜き差し自在に嵌め込み、筒状抜け止め部をＴ溝に係合させるようにしているため、テントフレームとテント用幕材の連結を簡単且つ容易に行え、テントフレームへのテント用幕体の張設を短時間で行える。
【図面の簡単な説明】
【００１８】
【図１】本考案の実施形態に係るテントフレームとテント用幕材の連結構造を用いたテントの概略斜視図である。
【図２】図１に示すテントに用いるテントフレームの概略斜視図である。
【図３】テントフレームを形成する横架材の端面図である。
【図４】テントフレームを形成する伸縮自在な柱材の端面図である。
【図５】テントフレームの要部の分解斜視図である。
【図６】テントフレームの組立後の要部の斜視図である。
【図７】横架材とテント用幕材（天幕）の筒状抜け止め部との関係を示す断面図である。
【図８】横架材のＴ溝にテント用幕材（天幕）の筒状抜け止め溝を挿入した状態の断面図である。
【図９】横架材のＴ溝にテント用幕材（天幕）の筒状抜け止め溝を挿入する状態を示す要部の斜視図である。
【図１０】テント用幕材をテントフレームに張設する従来例を示し、（Ａ）は枠材の挿通溝にテント用幕材の膨出部を挿入する状態の斜視図、（Ｂ）は角パイプ部材に取り付けたレール取付具のガイド溝に長尺状シートの抜け止め部を挿入する状態の斜視図である。
【考案を実施するための形態】
【００１９】
以下、本考案の一実施形態を図面に基づいて詳細に説明する。
【００２０】
図１は本考案の一実施形態に係るテントフレーム１とテント用幕材２の連結構造を用いたテントを示し、当該テントは、テントフレーム１と、テントフレーム１を覆うシート状のテント用幕材２とを備えている。
【００２１】
前記テントフレーム１は、図２に示す如く、長尺状の横架材３を四角枠状に配置して四隅に配置される継手４により直角に連結して形成される水平枠体５と、水平枠体５の四隅に設けられて水平枠体５を支持する柱材６と、水平枠体５の四隅にブレース連結具７を介して連結されて水平枠体５を補強する水平ブレース８と、水平枠体５に架設された補強用フレーム９とを備えている。
【００２２】
水平枠体５を形成する各横架材３は、図３に示す如く、長さ方向に貫通する貫通孔３ａと、両側面に延在するＴ溝３ｂ，３ｃと、底面に延在するＴ溝３ｄとを有する金属製の形材により形成されている。これらの横架材３は、アルミ合金の押出成形による形材とすることができる。
【００２３】
また、横架材３の両側面のＴ溝３ｂ，３ｃは、四角枠状の水平枠体５の外側側面及び内側側面に配設された格好になっており、左右対称状に形成されている。水平枠体５の外側側面のＴ溝３ｂには、テント用幕材２を形成する天幕２′の外周縁部が着脱自在に取り付けられるようになっている。
【００２４】
更に、横架材３の底面のＴ溝３ｄは、四角枠状の水平枠体５の底面に配設された格好になっている。水平枠体５の底面のＴ３ｄ溝には、テント用幕材２を形成する横幕２″を吊るすためのスロットフック等の吊具（図示省略）が抜き差し自在に係合される。
【００２５】
柱材６は、図４に示す如く、長さ方向に貫通する貫通孔６ａを有する金属製のパイプ状の形材で形成されている。この柱材６は、伸縮可能な二重管構造となっており、固定ネジ１０により２段階高さ調整可能とされている。柱材６は、横架材３と同じくアルミ合金の押出成形による形材により形成されている。
【００２６】
継手４は、図５及び図６に示す如く、金属材により形成されており、横架材３の貫通孔３ａに挿入される水平な二つの挿入部４ａ，４ｂと、大径の柱材６の貫通孔６ａに挿入される縦向きの一つの挿入部４ｃと、を備えている。継手４のそれぞれの挿入部４ａ，４ｂ，４ｃは、互いに直角に配置されている。
【００２７】
継手４の水平な二つの挿入部４ａ，４ｂは、断面コ字状に形成されており、横架材３の内面に当接する上面には、ナット４ｄが溶接等により固着されている。また、継手４の縦向きの挿入部４ｃは、四角筒状に形成されている。尚、各挿入部４ａ，４ｂは、断面コ字状とされているが、四角筒状又は平板状であっても良い。
【００２８】
そして、継手４の水平な二つの挿入部４ａ，４ｂを二つの横架材３，３の貫通孔３ａ，３ａにそれぞれ挿入したときに、各横架材３，３には、継手４のナット４ｄと重合する位置にそれぞれボルト孔３ｅ，３ｅが形成されている。固定用のボルト１１を横架材３，３のボルト孔３ｅ，３ｅを通して継手４のナット４ｄに螺入することで、継手４の水平な二つの挿入部４ａ，４ｂと二つの横架材３，３とが連結される。固定用のボルト１１は、工具がなくてもネジ締めでき、組立及び分解が容易なようにローレットノブを備えるボルトが好ましい。尚、柱材６も、横架材３と同様にしてボルト１２で継手４の縦向きの挿入部４ｃに固定されている。
【００２９】
ブレース連結具７は、金属材により形成されており、図５に示す如く、横架材３の内側側面に形成したＴ溝３ｃのスリット３ｆに挿通可能なスリット挿通部７ａと、スリット挿通部７ａに設けられて水平ブレース８が連結される連結部７ｂと、スリット挿通部７ａに設けられると共に、直角に連結される横架材３の端面からそれぞれのＴ溝３ｃ，３ｃに挿入されてＴ溝３ｃ，３ｃに係合する一対の係合凸部７ｃ，７ｄとを備えている。
【００３０】
スリット挿通部７ａは、図５に示す如く、板状に形成されており、その厚みが横架材３のＴ溝３ｃ，３ｃのスリット３ｆの幅Ｗ２よりも小さく、スリット３ｆに挿通した状態でＴ溝３ｃ，３ｃの長さ方向に移動可能である。
【００３１】
連結部７ｂは、図５に示す如く、板状のスリット挿通部７ａに形成された通孔とすることができる。通孔の連結部７ｂに代えてスリット挿通部７ａにフック等の突起物を突設することにより水平ブレース８を連結するための連結部を形成することもできる。
【００３２】
係合凸部７ｃ，７ｄは、それぞれの軸線が横架材３のＴ溝３ｃ，３ｃの長さ方向に延びる円柱状とすることができる。一対の円柱状の係合凸部７ｃ，７ｄは、互いの軸線が直交するように設けられている。
【００３３】
テント用幕材２は、テントフレーム１の上端部に被せられてテントフレーム１の上端部全体を覆う天幕２′と、テントフレーム１の各側面を覆う横幕２″とを備えている。
【００３４】
天幕２′は、ポリエステルやナイロン等の合成繊維により織られた織物に、防水処理や防災処理を施したものから形成されており、テントフレーム１の上面を覆う矩形状の天井面部２ａと、天井面部２ａの外周縁に垂設されてテントフレーム１の上端部の各側面を覆う四枚の側面部２ｂと、を備えている。
【００３５】
横幕２″は、天幕２′と同様にポリエステルやナイロン等の合成繊維により織られた織物に、防水処理や防災処理を施したものから形成されており、テントフレーム１の四つの側面をそれぞれ覆うようになっている。
【００３６】
尚、天幕２′及び横幕２″には、合成樹脂製のシート材により形成したものを使用しても良く、或いは、合成繊維製の織物に防水処理や防災処理を施したものと合成樹脂製のシート材とを組み合わせたものを使用しても良い。
【００３７】
そして、上述したテントフレーム１及びテント用幕材２を備えたテントに用いられるテントフレーム１とテント用幕材２の連結構造は、図７及び図８に示す如く、横架材３の少なくとも外側側面に形成した横架材３の長手方向に沿うＴ溝３ｂと、テント用幕材２の横架材３の外側側面に対向する箇所に設けられ、横架材３のＴ溝３ｂにスリット３ｆを形成した方向から抜き差し自在に嵌め込みされてＴ溝３ｂに係合されると共に、Ｔ溝３ｂのスリット３ｆの幅Ｗ２よりも大径に形成された弾性変形可能な筒状抜け止め部１３と、を備えている。
【００３８】
横架材３の外側側面に形成されたＴ溝３ｂは、図３に示す如く、断面形状が横向きのＴ字形に形成された溝であり、Ｔ溝３ｂの内部の上下方向の最大寸法Ｗ１よりもＴ溝３ｂのスリット３ｆ（溝開口）の幅Ｗ２が狭い形状となっている。
【００３９】
筒状抜け止め部１３は、テント用幕材２を形成する天幕２′の四枚の側面部２ｂの内側面で且つ横架材３の外側側面に対向する箇所に横架材３の長手方向に間隔を空けて複数設けられている。
【００４０】
筒状抜け止め部１３は、図７に示す如く、基端部（上端部）が接着剤又は逢着により天幕２′の側面部２ｂの内側面に取り付けられた可撓性を有する矩形状のシート部材１３ａの先端部（下端部）に設けられ、横架材３のＴ溝３ｂのスリット３ｆの幅Ｗ２よりも大径に形成された筒部１３ｂと、シート部材１３ａの筒部１３ｂに挿入され、横架材３のＴ溝３ｂのスリット３ｆの幅Ｗ２よりも大径に形成された弾性変形可能な合成樹脂製又はゴム製のチューブ材１３ｃと、を備えている。筒部１３ｂは、シート部材１３ａの先端部を筒状に丸め、シート部材１３ａの先端を接着剤又は逢着によりシート部材１３ａに固着することにより形成されている。
【００４１】
また、筒状抜け止め部１３は、その幅が柱材６の幅と同程度の長さを有しており、天幕２′の各側面部２ｂの少なくとも両端部内側面に設けられている。天幕２′の各側面部２ｂの両端部内側面以外（例えば各側面部２ｂの中間部分の内側面）にも、筒状抜け止め部１３を一つ又は複数設けても良い。
【００４２】
尚、筒状抜け止め部１３の外径Ｄは、筒状抜け止め部１３を横架材３のＴ溝３ｂにスリット３ｆを通して押し込むことができ、且つＴ溝３ｂに挿入されたときにＴ溝３ｂに係合されて筒状抜け止め部１３が簡単にＴ溝３ｂのスリット３ｆから抜けない程度に設定されている。
【００４３】
而して、上述したテントフレーム１の組み立て時には、例えば図５に示すように、継手４の縦向きの挿入部４ｃを柱材６の貫通孔６ａに挿入してボルト１２で固定した後、一方の横架材３のＴ溝３ｃにブレース連結具７の一方の係合凸部７ｄを挿入し係合させた状態で、継手４の一方の挿入部４ａを横架材３の貫通孔３ａに差し込み、次いで、他方の横架材３の貫通孔３ａに他方の挿入部４ｂを差し込みつつ、ブレース連結具１０の他方の係合凸部７ｃを他方の横架材３のＴ溝３ｂに差込んで係合させ、継手４と横架材３とをボルト１１で螺諦する。
【００４４】
こうして継手４に連結された横架材３に係合したブレース連結具７の連結部７ｂに、図６に示すように水平ブレース８が連結される。尚、水平ブレース８は、ワイヤー又はロッド等により形成されており、水平ブレース８の途中には、張力を調整するためのターンバックル１４が介在されている。
【００４５】
組み立てられたテントフレーム１は、図１に示す如く、テントフレーム１の上端部に天幕２′が被せられる。天幕２′は、柱材６を縮めて水平枠体５の高さを低くした状態で被せることができる。また、天幕２′をテントフレーム１に被せたら、図９に示す如く、天幕２′の各側面部２ｂに設けた各筒状抜け止め部１３を水平枠体５の各横架材３のＴ溝３ｂにスリット３ｆを形成した方向から押し込み挿入し、天幕２′をテントフレーム１に取り付け固定する。
【００４６】
テントフレーム１に天幕２′を被せたら、横架材３のＴ溝３ｄ等に係合させたスライドフック等の吊金具（図示せず）に、図１に仮想線（一点鎖線）で示すような横幕２″を吊り下げ、テントフレーム１の各側面を横幕２″で覆う。
【００４７】
上述したテントフレーム１とテント用幕材２の連結構造を用いたテントによれば、テントフレーム１を形成する横架材３の外側側面に横架材３の長手方向に沿うＴ溝３ｂを形成すると共に、テント用幕材２を形成する天幕２′にＴ溝３ｂのスリット３ｆの幅よりも大径に形成された弾性変形可能な筒状抜け止め部１３を設け、当該筒状抜け止め部１３をＴ溝３ｂのスリット３ｆを形成した方向からＴ溝３ｂ内に抜き差し自在に嵌め込み、筒状抜け止め部１３をＴ溝３ｂに係合させるようにしているため、テントフレーム１と天幕２′の連結を簡単且つ容易に行え、テントフレーム１へ天幕２′の張設を短時間で行える。また、天幕２′を設けた筒状抜け止め部１３を横架材３のＴ溝３ｂのスリット３ｆから抜ける方向へ引っ張れば、筒状抜け止め部１３がＴ溝３ｂのスリット３ｆから抜け、天幕２′をテントフレーム１から簡単且つ容易に取り外すことができる。更に、天幕２′に設けた筒状抜け止め部１３の長さを柱材６の幅と同程度の長さにしているため、天幕２′の筒状抜け止め部１３のＴ溝３ｂへ挿着及びＴ溝３ｂからの取り外しを簡単且つ容易に行える。
【００４８】
尚、上記の実施形態においては、筒状抜け止め部１３の長さを柱材６の幅と同程度の長さとしたが、筒状抜け止め部１３の長さは、上記の実施形態に係るものに限定されるものではなく、天幕２′の外周縁部をテントフレーム１の横架設材に確実且つ良好に止めることができれば、如何なる長さであっても良い。
【００４９】
また、上記の実施形態においては、天幕２′の各側面部２ｂの内側面に筒状抜け止め部１３を横架材３の長手方向に間隔を空けて複数設けたが、他の実施形態においては、天幕２′の各側面部２ｂの内側面に横架材３とほぼ同じ長さの筒状抜け止め部１３を一つだけ設けるようにしても良い。
【００５０】
更に、上記の実施形態においては、筒状抜け止め部１３を、シート部材１３ａの先端部に設けた筒部１３ｂと、筒部１３ｂに挿入されたチューブ材１３ｃとにより形成したが、他の実施形態においては、図示していないが、天幕２′の各側面部２ｂの下端部の少なくとも一部を筒状に折り曲げて筒部１３ｂを形成し、当該筒部１３ｂにチューブ材１３ｃを挿入して筒状抜け止め部１３を形成するようにしても良い。
【００５１】
更に、上記の実施形態においては、天幕２′の各側面部２ｂの内側面に筒状抜け止め部１３を設け、天幕２′をテントフレーム１の横架材３のＴ溝３ｂに着脱自在に取り付けるようにしたが、他の実施形態においては、横幕２″の上端部に筒状抜け止め部１３を設け、横幕２″をテントフレーム１の横架材３のＴ溝３ｂに着脱自在に取り付けるようにしても良い。また、天幕２′と横幕２″の両方を筒状抜け止め部１３を介して横架材３のＴ溝３ｂに着脱自在に取り付けるようにしても良い。この場合には、横架材３の外側面に二つのＴ溝３ｂを横架材３の長手方向に沿って形成する必要がある。
【符号の説明】
【００５２】
１  テントフレーム
２  テント用幕材
２′  天幕
３  横架材
３ｂ  Ｔ溝（外側）
３ｆ  スリット
６  柱材
１３  筒状抜け止め部
１３ａ  シート部材
１３ｂ  筒部
１３ｃ  チューブ材
Ｗ２  Ｔ溝のスリットの幅
Ｄ  筒状抜け止め部の外径
【図１】
0003225599.tif 000003
【図２】
0003225599.tif 000004
【図３】
0003225599.tif 000005
【図４】
0003225599.tif 000006
【図５】
0003225599.tif 000007
【図６】
0003225599.tif 000008
【図７】
0003225599.tif 000009
【図８】
0003225599.tif 000010
【図９】
0003225599.tif 000011
【図１０】
0003225599.tif 000012